【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
各々の波長が操作される対象物を構成する単波長または波長多重された光からなる１つ以上の光信号をスイッチングする２つ以上の光スイッチを備えた光システムであって、前記各光スイッチが、
各々、１つ以上の入力光信号を前記２つ以上の光スイッチのうちの１つに導入する外部インタフェースとして機能する、１つ以上の入力ファイバポートと、
前記２つ以上の光スイッチのうちの１つから出力光信号を引き出す外部インタフェースとして機能する、１つの出力ファイバポートと、
前記１つ以上の入力ファイバポートから少なくとも１つの波長を受け取り、当該少なくとも１つの共用アレイ型スイッチング素子の状態に従って、前記１つ以上の入力ファイバポートのうちの１つからの少なくとも１つの波長を前記１つの出力ファイバポートへスイッチングする、少なくとも１つの共用アレイ型スイッチング素子と、
１つ以上の入力光信号のうちの１つの少なくとも１つの第１の波長を、該入力光信号の少なくとも１つの他の波長から空間的に分離し、且つ、出力光信号の少なくとも１つの第１の波長を、該出力光信号の少なくとも１つの他の波長と再結合する、少なくとも１つの共用波長分散素子と、
前記１つ以上の入力ファイバポートのいずれかからの少なくとも１つの波長を、前記少なくとも１つの共用アレイ型スイッチング素子上に案内し、且つ、前記少なくとも１つの共用アレイ型スイッチング素子からの少なくとも１つの波長を、前記１つの出力ファイバポートへ案内する、少なくとも１つの共用アレイ型案内素子と、
各々、前記１つ以上の入力ファイバポート及び前記１つの出力ファイバポートの光信号をフォーカシングする、１つ以上の共用光学素子と、
を備え、
前記１つ以上の共用光学素子が、前記２つ以上の光スイッチの各光スイッチによって利用されるように適応されている、光システム。
【請求項２】
前記各少なくとも１つの共用アレイ型案内素子は、プリズム、レンズ、回折素子、ホログラフィック素子、ミラー及びこれらの組合せからなる群から選択される、請求項１に記載のシステム。
【請求項３】
前記各少なくとも１つの共用アレイ型案内素子は、各光学面が、前記１つ以上の入力ファイバポートのいずれかからの少なくとも１つの波長を、前記少なくとも１つの共用アレイ型スイッチング素子上に配置するように構成され、且つ、前記少なくとも１つの共用アレイ型スイッチング素子からの少なくとも１つの波長を、前記１つの出力ファイバポートに配置するように構成された、１つ以上の光学面をさらに備える、請求項１に記載のシステム。
【請求項４】
各々の波長が操作される対象物を構成する単波長または波長多重された光からなる１つ以上の光信号をスイッチングする２つ以上の光スイッチを備えた光システムであって、前記各光スイッチが、
入力光信号を、前記２つ以上の光スイッチのうちの１つに導入する外部インタフェースとして機能する、１つの入力ファイバポートと、
各々、前記２つ以上の光スイッチのうちの１つから１つ以上の出力光信号を引き出す外部インタフェースとして機能する、１つ以上の出力ファイバポートと、
前記１つの入力ファイバポートから少なくとも１つの波長を受け取り、当該少なくとも１つの共用アレイ型スイッチング素子の状態に従って、前記１つの入力ファイバポートの少なくとも１つの波長を、前記１つ以上の出力ファイバポートのうちの１つへスイッチングする、少なくとも１つの共用アレイ型スイッチング素子と、
入力光信号の少なくとも１つの第１の波長を、該入力光信号の少なくとも１つの他の波長から空間的に分離し、且つ、１つ以上の出力光信号のうちの１つの少なくとも１つの第１の波長を、該出力光信号の少なくとも１つの他の波長と再結合する、少なくとも１つの共用波長分散素子と、
前記１つの入力ファイバポートからの少なくとも１つの波長を、前記少なくとも１つの共用アレイ型スイッチング素子上に案内し、且つ、前記少なくとも１つの共用アレイ型スイッチング素子からの少なくとも１つの波長を、前記１つ以上の出力ファイバポートのうちのいずれかへ案内する、少なくとも１つの共用アレイ型案内素子と、
各々、前記１つの入力ファイバポート及び前記１つ以上の出力ファイバポートの光信号をフォーカシングする、１つ以上の共用光学素子と、
を備え、
前記１つ以上の共用光学素子が、前記２つ以上の光スイッチの各光スイッチによって利用されるように適応されている、光システム。
【請求項５】
各々の波長が操作される対象物を構成する単波長または波長多重された光からなる１つ以上の光信号をスイッチングする、２つ以上の光スイッチを備える光システムであって、前記各光スイッチが、
各々、１つ以上の入力光信号を前記２つ以上の光スイッチのうちの１つに導入する外部インタフェースとして機能する、１つ以上の入力ファイバポートと、
前記２つ以上の光スイッチのうちの１つから出力光信号を引き出す外部インタフェースとして機能する、１つの出力ファイバポートと、
前記１つ以上の入力ファイバポートから少なくとも１つの波長を受け取り、当該少なくとも１つの共用アレイ型スイッチング素子の少なくとも１つのスイッチの状態に従って、前記１つ以上の入力ファイバポートのうちの１つからの少なくとも１つの波長を、前記出力ファイバポートへスイッチングする、少なくとも１つの共用アレイ型スイッチング素子と、
前記２つ以上の光スイッチのうちの少なくとも１つの光スイッチの前記出力ファイバポートに結合され、前記出力ファイバポートの出力光信号の少なくとも１つの光特性を測定する、少なくとも１つの光測定デバイスと、
１つ以上の入力光信号のうちの１つの少なくとも１つの第１の波長を、該入力光信号の少なくとも１つの他の波長から空間的に分離し、且つ、出力光信号の少なくとも１つの第１の波長を該出力光信号の少なくとも１つの他の波長と再結合する、少なくとも１つの共用波長分散素子と、
前記１つ以上の入力ファイバポートのいずれかからの少なくとも１つの波長を、前記少なくとも１つの共用アレイ型スイッチング素子上に案内し、且つ、前記少なくとも１つの共用アレイ型スイッチング素子からの少なくとも１つの波長を、前記出力ファイバポートへ案内する、少なくとも１つの共用アレイ型案内素子と、
各々、前記１つ以上の入力ファイバポート及び前記１つの出力ファイバポートの光信号をフォーカシングする、１つ以上の共用光学素子と、
を備え、
前記１つ以上の共用光学素子が、前記２つ以上の光スイッチの各光スイッチによって利用されるように適応されている、光システム。
【請求項６】
前記２つ以上の光スイッチの第１の光スイッチからの前記出力ファイバポートの光信号の一部を、前記２つ以上の光スイッチのうちの他の１つの光スイッチの前記１つ以上の入力ファイバポートのうちの１つに結合する少なくとも１つのタップをさらに備え、前記第１の光スイッチからの前記出力ファイバポートの光信号の一部の少なくとも１つの波長は、前記光測定デバイスへスイッチされる、請求項５に記載のシステム。
【請求項７】
前記２つ以上の光スイッチのうちの他の１つの前記１つ以上の入力ファイバポートのうちの他の１つに結合され、１つの補助入力光信号を導入する少なくとも１つの補助ポートをさらに備え、前記少なくとも１つの共用アレイ型スイッチング素子の少なくとも１つのスイッチは、前記１つの補助入力光信号または前記第１の光スイッチの１つ以上の入力ファイバポートから結合された光信号の一部からの少なくとも１つの波長を前記光測定デバイスへ選択的にスイッチする、請求項６に記載のシステム。
【請求項８】
前記１つ以上の入力ファイバポートと前記２つ以上の光スイッチの少なくとも１つの光スイッチの出力ファイバポートとに結合されたファイバポート近接器をさらに備え、前記ファイバポート近接器は、ポート間間隔を最適化し、主に線状に離間した格子状で自由空間に光信号を出力し、且つ、該自由空間から前記光信号を受け取る、請求項５に記載のシステム。
【請求項９】
前記ファイバポート近接器は、前記１つ以上の入力ファイバポートと前記出力ファイバポートとの間の間隔を低減し、前記光信号を自由空間に及び前記自由空間からの光信号をガイドする１つ以上の導波路をさらに備える、請求項８に記載のシステム。
【請求項１０】
少なくとも１つのタップが、前記ファイバポート近接器内に配置されている、請求項８に記載のシステム。
【請求項１１】
前記各少なくとも１つの共用アレイ型案内素子は、プリズム、レンズ、回折素子、ホログラフィック素子、ミラー及びこれらの組合せからなる群から選択される、請求項５に記載のシステム。
【請求項１２】
前記少なくとも１つの共用アレイ型案内素子は、１つ以上の光学面をさらに備え、前記各光学面は、前記１つ以上の入力ファイバポートのうちのいずれかからの少なくとも１つの波長を、前記少なくとも１つの共用アレイ型スイッチング素子上に配置するように構成され、且つ、前記少なくとも１つの共用アレイ型スイッチング素子からの少なくとも１つの波長を、前記出力ファイバポートに配置するように構成される、請求項５に記載のシステム。
【請求項１３】
前記各少なくとも１つの共用アレイ型案内素子は、１つ以上の焦点をさらに備え、前記少なくとも１つの共用アレイ型案内素子は、前記１つ以上の入力ファイバポートのうちのいずれかからの波長の少なくとも１つの第１のセットを、前記少なくとも１つの共用アレイ型スイッチング素子の第１のスイッチ上に案内し、且つ、前記１つ以上の入力ファイバポートのうちのいずれかからの波長の少なくとも１つの他のセットを、前記少なくとも１つの共用アレイ型スイッチング素子の少なくとも１つの他のスイッチ上に案内する、請求項５に記載のシステム。
【請求項１４】
各々の波長が操作される対象物を構成する単波長または波長多重された光からなる１つ以上の光信号をスイッチングする２つ以上の光スイッチを備える光システムであって、前記各光スイッチが、
入力光信号を、前記２つ以上の光スイッチのうちの１つに導入する外部インタフェースとして機能する、１つの入力ファイバポートと、
各々、前記２つ以上の光スイッチのうちの１つから１つ以上の出力光信号を引き出す外部インタフェースとして機能する、１つ以上の出力ファイバポートと、
前記入力ファイバポートから少なくとも１つの波長を受け取り、当該少なくとも１つの共用アレイ型スイッチング素子の少なくとも１つのスイッチの状態に従って、前記入力ファイバポートの少なくとも１つの波長を、前記１つ以上の出力ファイバポートのうちの１つへスイッチングする、少なくとも１つの共用アレイ型スイッチング素子と、
前記２つ以上の光スイッチのうちの少なくとも１つの光スイッチの前記１つ以上の出力ファイバポートのうちの少なくとも１つに結合され、前記１つ以上の出力ファイバポートのうちの少なくとも１つの出力光信号の少なくとも１つの光学特性を測定する、少なくとも１つの光測定デバイスと、
入力光信号の少なくとも１つの第１の波長を、該入力光信号の少なくとも１つの他の波長から空間的に分離し、且つ、前記１つ以上の出力光信号のうちの１つの少なくとも１つの第１の波長を、該出力光信号の少なくとも１つの他の波長と再結合する、少なくとも１つの共用波長分散素子と、
前記入力ファイバポートからの少なくとも１つの波長を、前記少なくとも１つの共用アレイ型スイッチング素子上に案内し、且つ、前記少なくとも１つの共用アレイ型スイッチング素子からの少なくとも１つの波長を、前記１つ以上の出力ファイバポートのうちのいずれかへ案内する、少なくとも１つの共用アレイ型案内素子と、
各々、前記入力ファイバポート及び前記１つ以上の出力ファイバポートの光信号をフォーカシングする、１つ以上の共用光学素子と、
を備え、
前記１つ以上の共用素子が、前記２つ以上の光スイッチの各光スイッチによって利用されるように適応されている、光システム。
【請求項１５】
各々の波長が操作される対象物を構成する単波長または波長多重された光からなる１つ以上の光信号をスイッチングする２つ以上の光スイッチを備える光システムであって、前記各光スイッチが、
各々、前記少なくとも１つの入力光信号を、前記２つ以上の光スイッチのうちの第１の光スイッチに導入する外部インタフェースとして機能する、少なくとも１つの入力ファイバポートと、
前記２つ以上の光スイッチの前記第１の光スイッチから出力光信号を引き出す外部インタフェースとして機能する、少なくとも１つの出力ファイバポートと、
前記少なくとも１つの入力ファイバポートから少なくとも１つの波長を受け取り、当該少なくとも１つの共用アレイ型スイッチング素子の少なくとも１つのスイッチの状態に従って、前記少なくとも１つの入力ファイバポートのうちの１つからの少なくとも１つの波長を、前記少なくとも１つの出力ファイバポートのうちの１つへスイッチングする、少なくとも１つの共用アレイ型スイッチング素子と、
入力光信号のうちの少なくとも１つの第１の波長を、該入力光信号の少なくとも１つの他の波長から空間的に分離し、且つ、出力光信号の少なくとも１つの第１の波長を、該出力光信号の少なくとも１つの他の波長と再結合する、少なくとも１つの共用波長分散素子と、
前記少なくとも１つの入力ファイバポートからの少なくとも１つの波長を、前記少なくとも１つの共用アレイ型スイッチング素子上に案内し、且つ、前記少なくとも１つの共用アレイ型スイッチング素子からの少なくとも１つの波長を、前記少なくとも１つの出力ファイバポートへ案内する、少なくとも１つの共用アレイ型案内素子と、
各々、前記少なくとも１つの入力ファイバポート及び前記少なくとも１つの出力ファイバポートの光信号をフォーカシングする、１つ以上の共用光学素子と、
を備え、
前記１つ以上の共用光学素子が、前記２つ以上の光スイッチの各光スイッチによって利用されるように適応されている、光システム。
【請求項１６】
前記２つ以上の光スイッチの少なくとも１つが、１つ以上の入力ファイバポート及び１つの出力ファイバポートをさらに備え、前記２つ以上の光スイッチのうちの少なくとも１つの他の光スイッチが、１つの入力ファイバポート及び１つ以上の出力ファイバポートをさらに備える、請求項１５に記載のシステム。
【請求項１７】
少なくとも１つの入力ファイバポートが１つ以上の出力ファイバポートをさらに備え且つ前記少なくとも１つの出力ファイバポートが１つの入力ファイバポートをさらに備える、第１の光スイッチと、前記少なくとも１つの入力ファイバポートが１つの出力ファイバポートをさらに備え且つ前記他の光スイッチの前記少なくとも１つの出力ファイバポートが１つ以上の入力ファイバポートをさらに備える、１つの他の光スイッチと、をさらに備え、前記２つ以上の光スイッチを通る前記少なくとも１つの光信号の方向を変えるように適応されている、請求項１５に記載のシステム。
【請求項１８】
前記第１の光スイッチの出力ファイバポートは、前記他の１つの光スイッチの入力ファイバポートに結合されている、請求項１７に記載のシステム。
【請求項１９】
前記第１の光スイッチの１つ以上の入力ファイバポートのいずれかの前記少なくとも１つの波長は、前記他の１つの光スイッチの１つ以上の出力ファイバポートのうちのいずれか１つへスイッチされる、請求項１８に記載のシステム。
【請求項２０】
前記少なくとも１つの共用アレイ型案内素子の各々は、１つ以上の光学面をさらに備え、前記各光学面は、前記少なくとも１つの入力ファイバポートからの少なくとも１つの波長を、前記共用アレイ型スイッチング素子内の少なくとも１つのスイッチ上へ配置するように構成され、且つ、前記少なくとも１つのスイッチからの少なくとも１つの波長を前記少なくとも１つの出力ファイバポートへ配置するように構成されている、請求項１７に記載のシステム。
【請求項２１】
前記少なくとも１つの共用アレイ型案内素子の各々は、１つ以上の焦点をさらに備え、前記少なくとも１つの共用アレイ型案内素子の各々は、前記１つ以上の入力ファイバポートのいずれかからの波長の１つの第１のセットを、前記少なくとも１つの共用アレイ型スイッチング素子の少なくとも１つのスイッチの前記第１のスイッチ上へ案内し、且つ、前記少なくとも１つ以上の入力ファイバポートのいずれかからの波長の少なくとも１つの他のセットを、前記少なくとも１つの共用アレイ型スイッチング素子の少なくとも１つのスイッチの前記少なくとも１つの他のスイッチ上へ案内する、請求項１７に記載のシステム。
【請求項２２】
前記少なくとも１つの共用アレイ型案内素子の各々はさらに、前記１つの光スイッチのいずれかの箇所からの少なくとも１つの波長のいずれかのセットを、同じ前記光スイッチ内の他のいずれかの箇所へ案内する、請求項１５に記載のシステム。
【請求項２３】
前記結合は、外部ファイバ、導波路、内部ミラー及びこれらの組合せからなる群から選択される、請求項２２に記載のシステム。
【請求項２４】
前記少なくとも１つの他の１つの光スイッチの１つ以上の出力ファイバポートのうちの少なくとも１つは、前記第１の光スイッチの１つ以上の入力ファイバポートのうちの少なくとも１つに結合されている、請求項２２に記載のシステム。
【請求項２５】
前記１つ以上の光スイッチを通る光信号の方向の変化は、前記１つの入力ファイバポートの少なくとも１つの波長をさらに備え、該波長は、前記少なくとも１つの他の１つの光スイッチの１つ以上の出力ファイバポートのうちの１つにスイッチされ、且つ、前記少なくとも１つの波長はさらに、前記第１の光スイッチの前記１つ以上の入力ファイバポートから前記１つの出力ファイバポートへスイッチされる、請求項２４に記載のシステム。
【請求項２６】
前記２つ以上の光スイッチの少なくとも１つの第１の光スイッチの少なくとも１つの出力ファイバポートは、前記他の１つの光スイッチの１つの入力ファイバポートに結合されており、前記２つの光スイッチは共に、複数の入力ファイバポート及び複数の出力ファイバポートを有する集積化した光スイッチを備える、請求項２２に記載のシステム。
【請求項２７】
１つ以上の入力ファイバポートから少なくとも１つの第１の選択された波長を受け取り、当該ミラーの位置に従って、光信号を伝達する１つの出力ファイバポートへ反射させる、少なくとも１つの第１の可動ミラーと、
前記出力ファイバポートの光信号の一部を、第１のモニタ用ポートに結合するタップと、
前記第１のモニタ用ポートから少なくとも１つの第２の選択された波長を受け取り、当該第２の可動ミラーの位置に従って、出力モニタ用ポートへ選択的に反射させる、少なくとも１つの第２の可動ミラーと、
前記１つ以上の入力ポートの各々からの光信号の第１の選択された波長を前記第１のミラー上に案内し、且つ、前記第１のミラーからの波長を前記出力ポートへ案内し、さらに、前記第１のモニタ用ポートからの光信号の第２の選択された波長を前記第２のミラー上に案内し、且つ、前記第２のミラーからの波長を前記出力モニタ用ポートへ案内する、少なくとも１つの案内素子と、
前記出力モニタ用ポートに結合された光信号の一部の前記第２の選択された波長を受け取り、前記光信号の少なくとも１つの光学特性を測定する、光測定デバイスと、
を備える光システム。
【請求項２８】
少なくとも１つの補助モニタ用ポートをさらに備え、前記少なくとも１つの第２の可動ミラーは、前記第１のモニタ用ポートからの光信号の一部の１つの波長、または前記少なくとも１つの補助モニタ用ポートの１つの波長を、前記第２のミラーの位置に従って前記出力モニタ用ポートに選択的に結合する、請求項２７に記載のシステム。
【請求項２９】
前記１つ以上の入力ポート及び前記出力ポートに結合されたファイバポート近接器をさらに備え、前記ファイバポート近接器は、ポート間の間隔を最適化し、主に線状に離間した格子状で自由空間に光信号を出力し、または該自由空間からの前記光信号を受け取る、請求項２７に記載のシステム。
【請求項３０】
前記タップは、前記ファイバポート近接器内に配置されている、請求項２９に記載のシステム。
【請求項３１】
第２のモニタ用ポートをさらに備える、請求項２７に記載のシステム。
【請求項３２】
前記少なくとも１つの第２の可動ミラーは、前記第１または第２のモニタ用ポートから第２の選択された波長を受取り、前記第２のミラーの位置に従って、出力モニタ用ポートへ選択的に反射させる、請求項３１に記載のシステム。
【請求項３３】
前記案内素子は、多数のプリズムを含むモノリシック素子をさらに備える、請求項２７に記載のシステム。
【請求項３４】
前記案内素子は、多数のレンズを含むモノリシック素子をさらに備える、請求項２７に記載のシステム。
【請求項３５】
入力ファイバポートから少なくとも１つの第１の選択された波長を受け取り、波長を、当該ミラーの位置に従って、光信号を伝達する１つ以上の出力ファイバポートへ反射させる、少なくとも１つの第１の可動ミラーと、
前記１つ以上の出力ファイバポートの光信号の一部を、第１のモニタ用ポートに結合する、１つ以上のタップと、
前記第１のモニタ用ポートから少なくとも１つの第２の選択された波長を受け取り、波長を、当該第２の可動ミラーの位置に従って、出力モニタ用ポートへ選択的に反射させる、少なくとも１つの第２の可動ミラーと、
前記入力ファイバポートからの光信号の第１の選択された波長を前記第１のミラー上に案内し、且つ、前記第１のミラーからの波長を、前記１つ以上の出力ポートのうちの１つへ案内し、さらに、前記第１のモニタ用ポートからの光信号の第２の選択された波長を前記第２のミラー上に案内し、且つ、前記第２のミラーからの波長を前記出力モニタ用ポートへ案内する、少なくとも１つの案内素子と、
前記出力モニタ用ポートに結合された光信号の一部の第２の１つの選択された波長を受け取り、該受け取った光信号の少なくとも１つの光学特性を測定する、光測定デバイスと、
を備える、光システム。
【請求項３６】
前記入力ファイバポート及び前記１つ以上の出力ファイバポートに結合されたファイバポート近接器をさらに備え、前記ファイバポート近接器は、ポート間の間隔を最適化し、光信号を、自由空間に、主に線状に離間した格子状に出力し、且つ、前記自由空間から光信号を受け取る、請求項３５に記載のシステム。
【請求項３７】
前記タップは、前記ファイバポート近接器内に配置されている、請求項３６に記載のシステム。
【請求項３８】
少なくとも１つの補助モニタ用ポートをさらに備える、請求項３５に記載のシステム。
【請求項３９】
前記少なくとも１つの第２の可動ミラーは、前記第２のミラーの位置に従って、前記第１または少なくとも１つの補助モニタ用ポートから第２の選択された波長を受け取り、出力モニタ用ポートへ選択的に反射させる、請求項３８に記載のシステム。
【請求項４０】
前記案内素子は、多数のプリズムを含むモノリシック素子をさらに備える、請求項３５に記載のシステム。
【請求項４１】
前記案内素子は、多数のレンズを含むモノリシック素子をさらに備える、請求項３５に記載のシステム。
【請求項４２】
１つ以上の光信号をスイッチング及びモニタリングする方法であって、
１つ以上の入力ファイバポートの光信号を１つの出力ファイバポートに接続するステップと、
前記入力ファイバポートからの光信号を自由空間に投影するステップと、
前記１つ以上の入力ファイバポートからの光信号の少なくとも１つの第１の選択された波長を、第１の可動ミラー上に案内するステップと、
前記光信号からの第１の選択された波長を、１つの選択された入力ファイバポートから前記第１の可動ミラーを介して前記１つの出力ファイバポートへスイッチングするステップと、
前記出力ファイバポートの光信号の一部を第１のモニタ用ポートへタップするステップと、
前記出力ファイバポートの光信号の一部の少なくとも１つの第２の選択された波長を、前記１つ以上の入力ファイバポートから第２の可動ミラー上へ案内するステップと、
前記出力ファイバポートの光信号の一部からの第２の選択された波長を、前記モニタ用ポートから前記第２の可動ミラーを介して出力モニタ用ポートへスイッチングするステップと、
前記出力モニタ用ポートの少なくとも１つの光学特性をモニタリングし、前記モニタリングステップに応じて、前記少なくとも１つの光信号の伝達係数を、該伝達係数の最大値よりも小さくなるように調節するステップと、
を備える、方法。
【請求項４３】
１つ以上の光信号をスイッチング及びモニタリングする方法であって、
１つの入力ポートの光信号を１つ以上の選択された出力ファイバポートに接続するステップと、
前記入力ファイバポートからの光信号を自由空間に投影するステップと、
前記１つの入力ファイバポートからの光信号の少なくとも１つの第１の選択された波長を、第１の可動ミラー上に案内するステップと、
光信号からの第１の選択された波長を、前記入力ファイバポートから前記第１の可動ミラーを介して前記１つ以上の出力ファイバポートのいずれかへスイッチングするステップと、
前記出力ファイバポートの光信号の一部を第１のモニタ用ポートへタップするステップと、
前記出力ファイバポートの光信号の一部の少なくとも１つの第２の選択された波長を、前記入力ファイバポートから第２の可動ミラー上へ案内するステップと、
前記出力ファイバポートの光信号の一部からの第２の選択された波長を、前記モニタ用ポートから前記第２の可動ミラーを介して出力モニタ用ポートへスイッチングするステップと、
前記出力モニタ用ポートの少なくとも１つの光学特性をモニタリングし、前記モニタリングステップに応じて、前記少なくとも１つの光信号の伝達係数を、該伝達係数の最大値よりも小さくなるように調節するステップと、
を備える、方法。